(57)【要約】【課題】薄型の高周波機器に適用可能であって、容易に製造される高周波機器用のコイルを安価にて提供する。【解決手段】回路基板(18)に実装される高周波機器用のコイル(22)は、一の軸線に沿って延びている。コイル(22)は巻き線部(24)を有し、巻き線部(24)は、螺旋状に巻回された絶縁被覆導線からなり且つ軸線に沿う方向で剪断変形させられている。回路基板(18)に実装されたとき、回路基板(18)に直交する方向での巻き線部(24)の外径ＤＣは、巻き線部(24)を構成する各ループ(28)の回路基板(18)に対する傾斜方向での最大の外径ＤＬよりも小である。【選択図】図３
2011129747.tif 000002
【特許請求の範囲】
【請求項１】
一の軸線に沿って延び、回路基板に実装される高周波機器用のコイルにおいて、
螺旋状に巻回された絶縁被覆導線からなり且つ前記軸線に沿う方向で剪断変形させられた巻き線部を有し、
前記回路基板に実装されたとき、前記回路基板に直交する方向での前記巻き線部の外径は、前記巻き線部を構成する各ループの前記回路基板に対する傾斜方向での最大の外径よりも小である
ことを特徴とする高周波機器用のコイル。
【請求項２】
ケースと、
前記ケース内に収容され、請求項１に記載の高周波機器用のコイルが実装された回路基板とを備える
ことを特徴とする高周波機器。
【発明の詳細な説明】
【技術分野】
【０００１】
本発明は高周波機器用のコイルに関する。
【背景技術】
【０００２】
テレビチューナ等の高周波機器には、雷が近傍に落ちたときに発生する高圧対策（落雷対策）用に空芯コイルを内蔵しているものがある。
空芯コイルは、高周波機器内に設けられた電気回路の入力側に位置し、電気回路の信号線と接地電極とを接続する。空芯コイルは、高周波の電気信号は通さず、雷による高圧の直流のみを接地電極に流す。これにより、高周波機器の電気回路が高圧による破壊から保護される。
【０００３】
高周波機器に内蔵される雷対策用の空芯コイルは、大電流を流すために太い導線からなり、そして、インダクタンスを大きくするために、大きな断面積及び巻数を有する。このため、雷対策用の空芯コイルは大型にならざるを得ず、薄型の高周波機器への実装は不可能であった。
そこで、特許文献１が開示するコイルは、径方向に圧縮されており、回路基板に実装されたときのコイルの高さが低減されている。
【先行技術文献】
【特許文献】
【０００４】
【特許文献１】平２−７４０１４号公報
【発明の概要】
【発明が解決しようとする課題】
【０００５】
しかしながら、導線の直径が大であるコイルを径方向に圧縮するには、大型のプレス装置を導入する必要があり、製造コストが上昇してしまう。
【０００６】
本発明は上記した事情に鑑みてなされ、その目的とするところは、薄型の高周波機器に適用可能であって、容易に製造される高周波機器用のコイルを安価にて提供することにある。
【課題を解決するための手段】
【０００７】
上記の課題を解決するため、本発明は以下の解決手段を採用する。
【０００８】
解決手段１：本発明の一態様によれば、一の軸線に沿って延び、回路基板に実装される高周波機器用のコイルにおいて、螺旋状に巻回された絶縁被覆導線からなり且つ前記軸線に沿う方向で剪断変形させられた巻き線部を有し、前記回路基板に実装されたとき、前記回路基板に直交する方向での前記巻き線部の外径は、前記巻き線部を構成する各ループの前記回路基板に対する傾斜方向での最大の外径よりも小であることを特徴とする高周波機器用のコイルが提供される。
【０００９】
解決手段１の高周波機器用のコイルは、巻き線部が剪断変形させられることによって、回路基板に実装されたとき、回路基板に垂直な方向での巻き線部の外径が縮小されている。巻き線部は、圧縮変形の場合に比べて、小さい圧力で剪断変形させられる。このため、導線の直径が大であるコイルであっても、汎用の設備を用いて、巻き線部の外径が容易に縮小される。
【００１０】
解決手段２：本発明の他の態様によれば、ケースと、前記ケース内に収容され、請求項１に記載の高周波機器用のコイルが実装された回路基板とを備えることを特徴とする高周波機器が提供される。
解決手段２の高周波機器においては、ケースが薄型であっても、コイルの巻き線部の外径が縮小されることによって、ケース内にコイルが収容される。
【発明の効果】
【００１１】
本発明によれば、薄型の高周波機器に適用可能であって、容易に製造される高周波機器用のコイルが安価にて提供される。
【図面の簡単な説明】
【００１２】
【図１】一実施形態に係るテレビチューナを概略的に示す斜視図である。
【図２】図１のテレビチューナをその筐体を断面にして示す側面図である。
【図３】図２中のコイル及びその近傍を拡大して示す図である。
【図４】図２中のコイルの斜視図である。
【図５】図２中のコイルの成形方法を説明するための図である。
【発明を実施するための形態】
【００１３】
以下、本発明の実施形態について図面を参照しながら説明する。
【００１４】
図１は、一実施形態に係る高周波機器としてのテレビチューナ１０を概略的に示す斜視図である。テレビチューナ１０は、例えば液晶テレビ等の薄型の画像表示装置に内蔵され、画像表示装置のセット基板に実装される。
【００１５】
テレビチューナ１０は、扁平な箱形状の筐体１２を有し、筐体１２の厚さ方向にて相互に対向する広い面は、金属製のカバー１２ａ，１２ｂによって構成され、筐体１２の側面は、金属製の枠部材１２ｃによって構成されている。カバー１２ａ，１２ｂは枠部材１２ｃに固定され、筐体１２は、シールドケースとしての機能を有する。
筐体１２の厚さは、例えば、４．０ｍｍ以上７．０ｍｍ以下である。
【００１６】
枠部材１２ｃの一つの面からは、複数の端子１４が突出している。端子１４は、画像表示装置のセット基板に設けられたコネクタに接続される。
また、枠部材１２ｃの他の面からは、高周波用の同軸コネクタ１６が突出している。同軸コネクタ１６は、アンテナ入力端子であり、外部のアンテナと同軸ケーブルを介して電気的に接続される。
【００１７】
図２に示したように、筐体１２の内部には、カバー１２ａ，１２ｂに対し平行に回路基板１８が設置され、回路基板１８には、テレビ放送の受信回路を構成するＩＣチップ２０等が実装されている。なお、図２においては、筐体１２のみ断面で示されている。
【００１８】
また、回路基板１８には、受信回路を落雷時の高圧から保護するためのコイル２２が実装されている。コイル２２は、受信回路の入力側に設けられ、受信回路の信号線と接地電極とを繋いでいる。
図３に拡大して示したように、コイル２２は、絶縁被覆導線を螺旋状に巻回して形成された巻き線部２４と、巻き線部２４の両端に一体に連なるリード部２６ａ，２６ｂとを有する。リード部２６ａ，２６ｂの先端は、被覆されておらず、回路基板１８のランド部に半田付けされる。
【００１９】
コイル２２を構成する絶縁被覆導線は、例えば０．２５ｍｍ以上０．５ｍｍ以下の直径を有する。そして、巻き線部２４の巻回数は、例えば１０回以上２５回以下である。
【００２０】
図３とともに図４も併せて参照すると、巻き線部２４は、巻き線部２４の径方向中心を長手方向に貫通するコイル２２の軸線に沿って、剪断変形させられている。換言すれば、コイル２２は、回路基板１８に沿って配置されるので、回路基板１８に沿って剪断変形させられている。
【００２１】
このため、巻き線部２４を構成している連続する複数のループ２８の各々は、コイル２２の軸線及び回路基板１８に対して一定角度で傾いている。これらループ２８の傾斜方向での外径ＤＬは、例えば２．５ｍｍ以上５．０ｍｍ以下である。そして、回路基板１８に垂直な方向での巻き線部２４の外径ＤＣ、則ち、回路基板１８に実装されたときのコイル２２の実装高さは、例えば２．０ｍｍ以上３．５ｍｍ以下であり、ループ２８の傾斜方向での外径ＤＬよりも小さい。
なお、ループ２８の大きさが不揃いである場合には、回路基板１８に垂直な方向での巻き線部２４の外径ＤＣは、ループ２８の傾斜方向での最大の外径ＤＬよりも小さい。
【００２２】
図５は、コイル２２の成形方法を示しており、コイル２２の回路基板１８側が固定された状態で、巻き線部２４の一端に力を加えることによって、巻き線部２４が剪断変形させられる。力が加えられる部分は、巻き線部２４の径方向でみて回路基板１８とは反対側であり、力は、コイル２２の軸線方向に沿って且つ各ループ２８を押し倒すように若干斜めに加えられる。
なお、コイル２２を成形する際、回路基板１８以外の台にコイル２２を固定してもよい。
【００２３】
上述した一実施形態のテレビチューナ１０においては、コイル２２が大きなインダクタンスを有する。コイル２２は、雷により大電流が受信回路の信号線に流れ込んだときに、信号線から接地電極へと電流を逃がす。
一方、コイル２２は、高周波の電気信号に対して大きなインピーダンスを有する。従って、例えば５０ＭＨｚ以上１ＧＨｚ以下の高周波の電気信号が受信回路の信号線を流れているときに、電気信号が接地電極に逃げてしまうことが防止される。
【００２４】
そして、上述した一実施形態のコイル２２においては、巻き線部２４が剪断変形させられることによって、回路基板１８に実装されたとき、回路基板１８に垂直な方向での巻き線部２４の外径ＤＣが縮小されている。巻き線部２４は、圧縮変形の場合に比べて、小さい圧力で剪断変形させられる。このため、導線の直径が大であるコイル２２であっても、汎用の設備を用いて、巻き線部２４の外径が容易に縮小される。
また、上述した一実施形態のテレビチューナ１０においては、筐体１２が薄型であっても、コイル２２の巻き線部２４の外径ＤＣが縮小されることによって、筐体１２にコイル２２が収容される。
【００２５】
本発明は、上述した一実施形態に限定されることはなく、当該実施形態に変形を加えた形態も含む。
例えば、コイル２２の巻き線部２４の各ループ２８は、剪断変形させられる前は円形状であったが、楕円形状であってもよい。
また、コイル２２は、雷対策用のコイルに好適であるが、高周波機器における他の用途にもちいてもよい。
最後に、本発明に係るコイルの適用対象である高周波機器は、テレビチューナに限定されることはない。
【符号の説明】
【００２６】
１０                    テレビチューナ（高周波機器）
１２                    筐体（シールドケース）
１４                    端子
１６                    同軸コネクタ（アンテナ入力端子）
１８                    回路基板
２０                    ＩＣチップ
２２                    コイル
２４                    巻き線部
２６ａ，２６ｂ          リード部
２８                    ループ
【図１】
2011129747.tif 000003
【図２】
2011129747.tif 000004
【図３】
2011129747.tif 000005
【図４】
2011129747.tif 000006
【図５】
2011129747.tif 000007